(57)【要約】【課題】音声案内機能を搭載したガスコンロにおいて、メッセージをより滑らかに発することができる動作方式と、メッセージをよりわかりやすく発することができる動作方式とを切り替えることが可能な構成を提供する。【解決手段】音声出力部は、メッセージ生成部で生成されたメッセージの読み上げ途中において言葉を発しない所定のインターバルを設ける方式でメッセージを読み上げる第１動作と、メッセージ生成部で生成されたメッセージの読み上げ途中において所定のインターバルを設けない方式又は所定のインターバルの期間を短くした方式でメッセージを読み上げる第２動作と、を切り替えて実行可能とされている。【選択図】図１
2019184080.tif 000002
【特許請求の範囲】
【請求項１】
ガスバーナを備えたガスコンロであって、
当該ガスコンロの使用に関するメッセージを生成するメッセージ生成部と、
前記メッセージ生成部で生成された前記メッセージを音声として読み上げる音声出力部と、
を備え、
前記音声出力部は、前記メッセージ生成部で生成された前記メッセージの読み上げ途中において言葉を発しない所定のインターバルを設ける方式で前記メッセージを読み上げる第１動作と、前記メッセージ生成部で生成された前記メッセージの読み上げ途中において前記所定のインターバルを設けない方式又は前記所定のインターバルの期間を短くした方式で前記メッセージを読み上げる第２動作と、を切り替えて実行可能とされている
ガスコンロ。
【請求項２】
前記第１動作を指定する第１指示操作と前記第２動作を指定する第２指示操作とを行い得る操作部と、
前記操作部によって前記第１指示操作が行われた場合に第１設定情報を登録し、前記第２指示操作が行われた場合に第２設定情報を登録する登録部と、
を備え、
前記音声出力部は、前記登録部に前記第１設定情報が登録されている場合に前記第１動作を行い、前記登録部に前記第２設定情報が登録されている場合に前記第２動作を行う
請求項１に記載のガスコンロ。
【請求項３】
前記登録部は、不揮発性メモリを有し、前記第１設定情報及び前記第２設定情報を前記不揮発性メモリに記憶する
請求項２に記載のガスコンロ。
【請求項４】
前記音声出力部は、前記第１動作を行う場合、前記メッセージの読み上げ途中において前記メッセージを構成する単語の末尾又は文節の末尾で前記所定のインターバルを設ける方式で前記メッセージを読み上げる
請求項１から請求項３のいずれか一項に記載のガスコンロ。
【発明の詳細な説明】
【技術分野】
【０００１】
本発明は、ガスコンロに関するものである。
【背景技術】
【０００２】
特許文献１には音声機能付きのガスコンロが記載されている。このガスコンロは、コンロ上に設置された鍋の温度を監視する温度センサを有しており、この温度センサの検知温度が沸点に達すると「湯沸かしが完了しました。」という音声案内をする。この機能によれば、ユーザは、鍋から目を離していても鍋の湯が沸騰したことを容易に認識することができる。
【先行技術文献】
【特許文献】
【０００３】
【特許文献１】特開２００６−７８１４１号公報
【発明の概要】
【発明が解決しようとする課題】
【０００４】
しかし、この種のガスコンロの音声案内は、周囲の雑音等によって聞き取りにくくなることもあり、その結果、ユーザが音声案内の内容を把握できないことがある。このような場合に音量を上げることも考えられるが、音量をなるべく小さく設定しておきたいユーザは雑音の有無に応じて音量を度々変更することが要求される。また、消費電流が増大化するという問題もある。
【０００５】
本発明は、上述した課題の少なくとも一つを解決するためになされたものであり、音声案内機能を搭載したガスコンロにおいて、メッセージをより滑らかに発することができる動作方式と、メッセージをよりわかりやすく発することができる動作方式とを切り替えることが可能な構成を提供することを目的とするものである。
【課題を解決するための手段】
【０００６】
本発明の一つであるガスコンロは
ガスバーナを備えたガスコンロであって、
当該ガスコンロの使用に関するメッセージを生成するメッセージ生成部と、
前記メッセージ生成部で生成された前記メッセージを音声として読み上げる音声出力部と、
を備え、
前記音声出力部は、前記メッセージ生成部で生成された前記メッセージの読み上げ途中において言葉を発しない所定のインターバルを設ける方式で前記メッセージを読み上げる第１動作と、前記メッセージ生成部で生成された前記メッセージの読み上げ途中において前記所定のインターバルを設けない方式又は前記所定のインターバルの期間を短くした方式で前記メッセージを読み上げる第２動作と、を切り替えて実行可能とされている。
【発明の効果】
【０００７】
上記ガスコンロは、メッセージ生成部と、メッセージ生成部で生成されたメッセージを音声として読み上げる音声出力部と、を備えている。
よって、メッセージを音声として発することができ、使用者に対して音声案内し得る機能が付加されたガスコンロを実現できる。
更に、音声出力部は、メッセージ生成部で生成されたメッセージの読み上げ途中において言葉を発しない所定のインターバルを設ける方式でメッセージを読み上げる第１動作と、メッセージ生成部で生成されたメッセージの読み上げ途中において所定のインターバルを設けない方式又は所定のインターバルの期間を短くした方式でメッセージを読み上げる第２動作と、を切り替えて実行可能とされている。
このような構成であるため、メッセージをよりわかりやすく発することができる動作方式とメッセージをより滑らかに発することができる動作方式と、を切り替えることが可能となる。
【図面の簡単な説明】
【０００８】
【図１】実施例１のガスコンロを概略的に例示する斜視図である。
【図２】実施例１のガスコンロの各ガスバーナへのガス供給路等を概念的に示す説明図である。
【図３】実施例１のガスコンロの電気的構成を概略的に例示するブロック図である。
【図４】実施例１のガスコンロにおいてデータベースの内容に基づいてメッセージを生成する方法を説明する説明図である。
【図５】メッセージ発生条件とメッセージとの対応関係を説明する説明図である。
【発明を実施するための形態】
【０００９】
本発明の好ましい形態を以下に例示する。
本発明の一つであるガスコンロは、第１動作を指定する第１指示操作と第２動作を指定する第２指示操作とを行い得る操作部と、操作部によって第１指示操作が行われた場合に第１設定情報を登録し、第２指示操作が行われた場合に第２設定情報を登録する登録部と、を備えていてもよい。そして、音声出力部は、登録部に第１設定情報が登録されている場合に第１動作を行い、登録部に第２設定情報が登録されている場合に第２動作を行うようになっていてもよい。
このようにガスコンロが構成されていれば、このガスコンロは、使用者の指示に応じて第１動作と第２動作とを切り替えることができるようになり、ひいては、滑らかな音声報知を行う方式とわかりやすい音声報知を行う方式とを使用者が選択できるようになる。
【００１０】
この場合、登録部は、不揮発性メモリを有していてもよい。そして、登録部は、第１設定情報及び第２設定情報を不揮発性メモリに記憶し得る構成となっていてもよい。
このようにすれば、電源オフになった後でも、音声報知方式の設定を保持しておくことができ、ユーザの利便性を高めることができる。
【００１１】
音声出力部は、第１動作を行う場合、メッセージの読み上げ途中においてメッセージを構成する単語の末尾又は文節の末尾で所定のインターバルを設ける方式でメッセージを読み上げる構成であってもよい。
このように単語の末尾又は文節の末尾でインターバルを設けるようにメッセージを区切れば、使用者が単語又は文節を明瞭に聞き取りやすくなり、メッセージを正確に認識しやすくなる。
【００１２】
＜実施例１＞
以下、実施例１について、図面を参照して説明する。
図１に示すガスコンロ１は、調理鍋等の調理器具を加熱可能なビルトインコンロとして構成されている。ガスコンロ１は、コンロ本体１Ａの上面を構成する天板２（トッププレート）から露出するように、右こんろ部４Ａ、左こんろ部４Ｂ、がそれぞれ設けられ、その左右のこんろ部４Ａ，４Ｂの間で後方寄りに小こんろ部４Ｃが設けられている。天板２の下方においてコンロ本体１Ａの内部中央付近にはグリル３が設けられている。グリル３は、被調理物を収納してグリルバーナ（ガスバーナ５４：図２）で加熱調理するグリル庫を備えており、このグリル庫は、コンロ本体１Ａの前面部に設けられたグリル扉３Ｂによって開閉可能とされている。
【００１３】
図１のように、右こんろ部４Ａ、左こんろ部４Ｂ、小こんろ部４Ｃ、グリル３には、図２で示すガスバーナ５１，５２，５３，５４がそれぞれ設けられている。図２のように、複数のガスバーナ５１，５２，５３，５４には、複数の分岐供給路６１，６２，６３，６４がそれぞれ接続され、これら分岐供給路６１，６２，６３，６４は、共通供給路６０から分岐する構成をなす。共通供給路６０は、ガスバーナ５１，５２，５３，５４への共通のガス経路であり、複数の分岐供給路６１，６２，６３，６４は、共通供給路６０から分岐するとともに各ガスバーナ５１，５２，５３，５４に向けてガスを導くように配設された供給路である。共通供給路６０には、共通供給路６０を開閉する元電磁弁Ｎ１が設けられる。共通供給路６０から分岐してガスバーナ５１に続く分岐供給路６１には、分岐供給路６１を開閉可能な電磁弁（安全弁）５１Ｇと、分岐供給路６１を開閉可能な閉止弁５１Ｆと、ガスバーナ５１へのガス供給量を調整可能な火力調整弁５１Ｅとが設けられている。共通供給路６０から分岐してガスバーナ５２に続く分岐供給路６２には、分岐供給路６２を開閉可能な電磁弁（安全弁）５２Ｇと、分岐供給路６２を開閉可能な閉止弁５２Ｆと、ガスバーナ５２へのガス供給量を調整可能な火力調整弁５２Ｅとが設けられている。共通供給路６０から分岐してガスバーナ５３に続く分岐供給路６３には、分岐供給路６３を開閉可能な電磁弁（安全弁）５３Ｇと、分岐供給路６３を開閉可能な閉止弁５３Ｆと、ガスバーナ５３へのガス供給量を調整可能な火力調整弁５３Ｅとが設けられている。
【００１４】
グリル３のガスバーナ５４（グリルバーナ）は、グリル３内において上側に配置される上バーナ５４Ａと、グリル３内において上バーナ５４Ａよりも下側に配置される下バーナ５４Ｂとを備える。共通供給路６０から分岐してガスバーナ５４にガスを導く分岐供給路６４には、更に、分岐供給路６４から分岐して上バーナ５４Ａにガスを導く第１供給路６５Ａと、分岐供給路６４から分岐して下バーナ５４Ｂにガスを導く第２供給路６５Ｂとが接続されている。分岐供給路６４には、分岐供給路６４を開閉可能な電磁弁（安全弁）５４Ｇと閉止弁５４Ｆとが設けられ、第１供給路６５Ａには複数の電磁弁５４Ｈ，５４Ｊが設けられ、第２供給路６５Ｂには電磁弁５４Ｋが設けられている。
【００１５】
図１に示すように、右こんろ部４Ａ、左こんろ部４Ｂ、小こんろ部４Ｃ、グリル３にそれぞれ対応するように４つの回転操作部６Ａ，６Ｂ，６Ｃ，６Ｄが設けられている。回転操作部６Ａは、右こんろ部４Ａの点火、消火、火力調整を行うものであり、回転操作部６Ｂは、左こんろ部４Ｂの点火、消火、火力調整を行うものであり、回転操作部６Ｃは、小こんろ部４Ｃの点火、消火、火力調整を行うものであり、第４の回転操作部６Ｄは、グリル３の点火、消火、火力調整を行うものであり、これらはいずれも、押圧操作可能に構成され、且つ回転操作可能に構成されている。
【００１６】
図１の例では、回転操作部６Ａ，６Ｂ，６Ｃ，６Ｄのいずれも、使用者が押す毎に退避位置と突出位置とに切り替わるようになっている。そして、図３の電気的構成で示すように、回転操作部６Ａ，６Ｂ，６Ｃ，６Ｄにそれぞれ対応するようにスイッチ３０Ａ，３０Ｂ，３０Ｃ，３０Ｄがそれぞれ設けられ、スイッチ３０Ａ，３０Ｂ，３０Ｃ，３０Ｄにそれぞれ対応するように点火信号入力回路４０Ａ，４０Ｂ，４０Ｃ，４０Ｄがそれぞれ設けられている。スイッチ３０Ａ，３０Ｂ，３０Ｃ，３０Ｄは、いずれも点火スイッチとして機能し、回転操作部６Ａ，６Ｂ，６Ｃ，６Ｄのいずれにおいても、回転操作部が退避位置（消火位置）へと操作されることに応じて、対応するスイッチがオフ状態となり、このスイッチに対応する点火信号入力回路から制御回路１０にオフ信号が与えられる。また、回転操作部が突出位置（点火位置）へと操作されることに応じて、対応するスイッチがオン状態となり、このスイッチに対応する点火信号入力回路から制御回路１０にオン信号が与えられる。
【００１７】
更に、回転操作部６Ａ，６Ｂ，６Ｃ，６Ｄにそれぞれ対応するように変位検出部３２Ａ，３２Ｂ，３２Ｃ，３２Ｄがそれぞれ設けられ、変位検出部３２Ａ，３２Ｂ，３２Ｃ，３２Ｄにそれぞれ対応するように火力信号入力回路４２Ａ，４２Ｂ，４２Ｃ，４２Ｄがそれぞれ設けられている。回転操作部６Ａ，６Ｂ，６Ｃ，６Ｄのいずれにおいても、回転操作部の変位（回転位置）を対応する変位検出部が検出し、この変位検出部に対応する火力信号入力回路から変位検出部が検出した変位（回転位置）に応じた信号が制御回路１０に与えられる。
【００１８】
図２のように、上バーナ５４Ａにガスを導く主経路として第１供給路６５Ａが構成され、この第１供給路６５Ａに設けられた電磁弁５４Ｊを迂回するように、電磁弁５４Ｊの経路と並列の経路であるバイパス路６６Ａが設けられている。電磁弁５４Ｈが開放した状態で電磁弁５４Ｊが閉じているときには分岐供給路６４によって導かれたガスはバイパス路６６Ａを通って上バーナ５４Ａに供給される。また、電磁弁５４Ｈ，５４Ｊがいずれも開いているときには分岐供給路６４によって導かれたガスは第１供給路６５Ａ又はバイパス路６６Ａを通って上バーナ５４Ａに供給される。また、下バーナ５４Ｂにガスを導く主経路として第２供給路６５Ｂが構成され、この第２供給路６５Ｂに設けられた電磁弁５４Ｋを迂回するように、電磁弁５４Ｋの経路と並列の経路であるバイパス路６６Ｂが設けられている。電磁弁５４Ｋが閉じているときには分岐供給路６４によって導かれたガスはバイパス路６６Ｂを通って下バーナ５４Ｂに供給される。また、電磁弁５４Ｋが開いているときには分岐供給路６４によって導かれたガスは第２供給路６５Ｂ又はバイパス路６６Ｂを通って下バーナ５４Ｂに供給される。
【００１９】
また、図２、図３のように、各ガスバーナ５１，５２，５３，５４Ａ，５４Ｂのそれぞれに隣接して熱電対５１Ｃ，５２Ｃ，５３Ｃ，５４Ｃ、５４Ｄがそれぞれ設けられ、熱電対５１Ｃ，５２Ｃ，５３Ｃ，５４Ｃ、５４Ｄのそれぞれに対応して温度信号入力回路４４Ａ，４４Ｂ，４４Ｃ，４４Ｄ，４４Ｅがそれぞれ設けられている。温度信号入力回路４４Ａ，４４Ｂ，４４Ｃ，４４Ｄ，４４Ｅはいずれも、対応する熱電対で生じた起電力に応じた信号を制御回路１０に入力する。
【００２０】
各ガスバーナ５１，５２，５３，５４のそれぞれに隣接してイグナイタ２６Ａ，２６Ｂ，２６Ｃ，２６Ｄがそれぞれ設けられ、イグナイタ２６Ａ，２６Ｂ，２６Ｃ，２６Ｄのそれぞれに対応してイグナイタ回路４６Ａ，４６Ｂ，４６Ｃ，４６Ｄがそれぞれ設けられている。例えば、ガスバーナ５１に対応してイグナイタ２６Ａが設けられ、イグナイタ回路４６Ａは、スイッチ３０Ａの点火操作に応じてイグナイタ２６Ａを駆動し、イグナイタ２６Ａで火花を放電させてガスバーナ５１に点火する。
【００２１】
制御回路１０は、例えばマイクロコンピュータとして構成されており、図３のように、ＣＰＵ１０Ａ、ＲＯＭ１０Ｂ、ＲＡＭ１０Ｃなどを備え、更に、図示しないタイマ、Ｉ／Ｏインタフェイスなどを備える。また、図示はしていないが、制御回路１０の内部又は外部に不揮発性メモリを設けてもよい。この制御回路１０は、上述した各電磁弁（図３では図示を省略）、イグナイタ２６Ａ，２６Ｂ，２６Ｃ，２６Ｄ、複数の表示装置２１，２２，２３，２４、ブザー装置１２、音声装置１４などを制御し得る。図１のように、表示装置２１，２２，２３，２４のそれぞれが、回転操作部６Ａ，６Ｂ，６Ｃ，６Ｄのそれぞれに対応して設けられている。ブザー装置１２は、圧電ブザー装置などの公知のブザー装置として構成されている。音声装置１４は、メロディ、メッセージなどの音声を発する装置であり、例えば、スピーカやスピーカに対して音声信号を与える駆動回路などを備え、制御回路１０からの指示に対応した音声を発するように動作する。また、上述した電気部品を含め、様々な電気部品に電力を供給するように電源回路４８が設けられている。電源回路４８は電池ボックスに収容された２つの乾電池４９からの電力供給を受け、所定の電源電圧を生成する機能を有しており、電源回路４８で生成された電源電圧は、図示しない経路を介して様々な電気部品に供給される。
【００２２】
次に、メッセージ生成部、音声出力部、登録部としての各機能について図３、図４を参照して説明する。
ガスコンロ１では、図３で示す制御回路１０がメッセージ生成部の一例に相当する。そして、制御回路１０及び音声装置１４が音声出力部の一例に相当する。更に、制御回路１０及び不揮発性メモリ１６が登録部の一例に相当する。
【００２３】
メッセージ生成部として機能し得る制御回路１０は、ガスコンロ１の使用に関するメッセージを生成し得る。本構成では、メッセージの要素として、図４のように多数の単語がメモリ（例えば、ＲＯＭ１０Ｂ）内においてデータベースとして記憶されており、制御回路１０は、このデータベースの単語を組み合わせてメッセージを生成し得る。データベースでの文字列（単一文字も含む）の登録方法は様々に設定でき、例えば、複数の単語を１つのまとまりとして登録してもよいが、図４のように、名詞と助詞を個別に記憶しておけば、名詞の部分を入れ替えることで多種類の案内文を作成することができる。
【００２４】
本構成では、複数のメッセージ発生条件が定められており、図５のように各条件毎に単語の組合せが定められている。例えば条件１に対応付けて「コンロ」「安全」「安心」「機能」「が」「作動」「しました」という単語の組合せ及び順序が登録されており、制御回路１０は、条件１が成立した場合、図４のように単語データベースから「コンロ」「安全」「安心」「機能」「が」「作動」「しました」という単語を選択し、「コンロ安全安心機能が作動しました」というメッセージを生成するようになっている。他の複数の条件についても、各条件に対応付けて複数の単語の組合せを定める組合せ情報及び順序情報が登録されており、各条件が成立した場合、制御回路１０は、各条件に対応付けられた単語の組合せ及び順序で各条件に対応したメッセージを生成する。
【００２５】
音声出力部として機能し得る制御回路１０及び音声装置１４は、メッセージ生成部（制御回路１０）で生成されたメッセージを音声として読み上げるように機能する。この音声出力部は、メッセージ生成部で生成されたメッセージの読み上げ途中において言葉を発しない所定のインターバルを設ける方式でメッセージを読み上げる第１動作と、メッセージ生成部で生成されたメッセージの読み上げ途中において上記「所定のインターバル」を設けない方式又は「所定のインターバル」の期間を短くした方式でメッセージを読み上げる第２動作と、を切り替えて実行可能とされている。
【００２６】
操作部１８は、例えば複数の入力インターフェース（複数のボタンなど）を備えた操作パネルとして構成され、上述の第１動作を指定する第１指示操作と上述の第２動作を指定する第２指示操作（第１指示操作とは異なる操作）とを行い得る構成をなす。
【００２７】
登録部として機能する制御回路１０及び不揮発性メモリ１６は、操作部１８によって第１指示操作が行われた場合に第１設定情報を登録し、第２指示操作が行われた場合に第２設定情報を登録するように機能する。具体的には、操作部１８において第１指示操作が行われた場合に制御回路１０が不揮発性メモリ１６に第１設定情報（例えば、インターバル無しフラグ）を記憶するように動作し、この第１設定情報を、操作部１８にて第２指示操作が行われるまで維持する。また、第２指示操作が行われた場合には、制御回路１０が不揮発性メモリ１６に第２設定情報（例えば、インターバル有りフラグ）を記憶するように動作し、この第２設定情報を、操作部１８にて第１指示操作が行われるまで維持する。
【００２８】
このような前提の上で、メッセージ生成部として機能し得る制御回路１０は、メッセージの発生条件毎にメッセージ（複数の単語を組み合わせたメッセージ情報）を生成する。そして、音声出力部として機能し得る制御回路１０及び音声装置１４は、メッセージ生成部にてメッセージが生成される毎に、そのメッセージを音声装置１４から音声として発する。制御回路１０及び音声装置１４がメッセージを音声として発する場合、不揮発性メモリ１６に第１設定情報が登録（記憶）されている場合には第１動作（メッセージの読み上げ途中において言葉を発しない所定のインターバルを設ける方式でメッセージを読み上げる動作）を実行し、不揮発性メモリ１６に第２設定情報が登録（記憶）されている場合には第２動作（メッセージの読み上げ途中において所定のインターバルを設けない方式又はインターバルを第１動作のときよりも短くした方式）を実行する。
【００２９】
音声出力部として機能し得る制御回路１０及び音声装置１４は、第１動作を行う場合、メッセージの読み上げ途中においてメッセージを構成する単語の末尾又は文節の末尾で所定のインターバル（例えば、一定時間の無音期間、又は、一定時間の無声期間など）を設ける方式でメッセージを読み上げるように動作する。この場合、「所定のインターバル」の間隔は特に限定されないが、例えば、数ミリ秒或いは数十ミリ秒程度の一定時間とすることができる。例えば、図４のように、「コンロ安全安心機能が作動しました」というメッセージを発する場合、「コンロ」「安全」「安心」「機能」「が」「作動」「しました」のそれぞれの単語間において数ミリ秒或いは数十ミリ秒程度のインターバル（一定時間）をあけるように「コンロ安全安心機能が作動しました」というメッセージを音声装置１４から音声出力することができる。
【００３０】
一方、音声出力部として機能し得る制御回路１０及び音声装置１４は、第２動作を行う場合、メッセージの読み上げ途中においてメッセージを構成する単語の末尾又は文節の末尾で上記「所定のインターバル」を設けない方式又は「所定のインターバル」よりも短いインターバルを設ける方式でメッセージを読み上げるように動作する。例えば、図４のように、「コンロ安全安心機能が作動しました」というメッセージを発する場合、「コンロ」「安全」「安心」「機能」「が」「作動」「しました」のそれぞれの単語間の間隔が第１動作のときよりも短くなるように「コンロ安全安心機能が作動しました」というメッセージを音声装置１４から音声出力する。
【００３１】
音声出力部として機能し得る制御回路１０及び音声装置１４は、各々の単語での各文字の発音速度及び文字間の発音速度を、第１動作と第２動作とで同一とするとよい。例えば、「コンロ安全安心機能が作動しました」というメッセージを表示する場合において、「安全」という単語を発する場合、「安全」を読み上げる速度を第１動作と第２動作とで同一とするとよい。
【００３２】
例えば第１動作のときに各単語での音声出力の速度を低下させることで、聞き取りやすくする手法も考えられるが、この手法を実現しようとすると、音声出力の速度が異なるパターンごとに音声データを予め記憶しておくか、あるいは音声データの出力速度を変化させるプログラムが必要となる。このため、記憶データの増大化、あるいはプログラムの複雑化が避けられない。これに対し、上記方法によれば、単語ごとの音声出力速度を低下させなくとも、単語の末尾又は文節の末尾にインターバルを設けることで聞き取りやすくすることができる。ゆえに、記憶データの増大化やプログラムの複雑化を抑制しつつ、案内文の内容を把握しやすくすることができる。
【００３３】
ここで、本構成の効果を例示する。
本構成のガスコンロ１は、メッセージ生成部（制御回路１０）と、メッセージ生成部で生成されたメッセージを音声として読み上げる音声出力部（制御回路１０及び音声装置１４）と、を備えている。よって、メッセージを音声として発することができ、使用者に対して音声案内し得る機能が付加されたガスコンロを実現できる。
【００３４】
更に、音声出力部としての制御回路１０及び音声装置１４は、メッセージ生成部（制御回路１０）で生成されたメッセージの読み上げ途中において言葉を発しない所定のインターバルを設ける方式でメッセージを読み上げる第１動作と、メッセージ生成部で生成されたメッセージの読み上げ途中において所定のインターバルを設けない方式又は所定のインターバルの期間を短くした方式でメッセージを読み上げる第２動作と、を切り替えて実行可能とされている。このような構成であるため、メッセージをより滑らかに発することができる動作方式と、メッセージをよりわかりやすく発することができる動作方式とを切り替えることが可能となる。
【００３５】
更に、ガスコンロ１は、第１動作を指定する第１指示操作と第２動作を指定する第２指示操作とを行い得る操作部１８と、操作部１８によって第１指示操作が行われた場合に第１設定情報を登録し、第２指示操作が行われた場合に第２設定情報を登録する登録部（制御回路１０及び不揮発性メモリ１６）と、を備えている。そして、音声出力部は、登録部に第１設定情報が登録されている場合に第１動作を行い、登録部に第２設定情報が登録されている場合に第２動作を行うようになっている。このようにガスコンロ１が構成されていれば、このガスコンロ１は、使用者の指示に応じて第１動作と第２動作とを切り替えることができるようになり、ひいては、滑らかな音声報知を行う方式とわかりやすい音声報知を行う方式とを使用者が選択できるようになる。
【００３６】
更に、ガスコンロ１には、登録部の要素として、不揮発性メモリ１６が設けられている。そして、登録部として機能し得る制御回路１０及び不揮発性メモリ１６は、第１設定情報及び第２設定情報を不揮発性メモリ１６に記憶し得る構成となっている。このようにすれば、電源オフになった後でも、音声報知方式の設定を保持しておくことができ、ユーザの利便性を高めることができる。
【００３７】
更に、音声出力部としての制御回路１０及び音声装置１４は、第１動作を行う場合、メッセージの読み上げ途中においてメッセージを構成する単語の末尾又は文節の末尾で所定のインターバルを設ける方式でメッセージを読み上げる構成となっている。このように単語の末尾又は文節の末尾でインターバルを設けるようにメッセージを区切れば、使用者が単語又は文節を明瞭に聞き取りやすくなり、メッセージを正確に認識しやすくなる。
【００３８】
＜他の実施例＞
本発明は上記記述及び図面によって説明した実施例に限定されるものではなく、例えば次のような例も本発明の技術的範囲に含まれる。
【００３９】
実施例１では、ガスコンロの例としてビルトインコンロを例示したが、テーブルコンロであってもよい。
【００４０】
実施例１では、ガスバーナ５１，５２，５３，５４が設けられたガスコンロ１を例示したが、ガスバーナの数はこれよりも多くても少なくてもよい。例えば、１つのガスバーナのみが設けられ、１つのイグナイタのみが設けられるようなガスコンロなどであってもよい。
【符号の説明】
【００４１】
１…ガスコンロ
１０…制御回路（メッセージ生成部、音声出力部）
１４…音声装置（音声出力部）
１６…不揮発性メモリ（登録部）
５１，５２，５３，５４…ガスバーナ
【図１】
2019184080.tif 000003
【図２】
2019184080.tif 000004
【図３】
2019184080.tif 000005
【図４】
2019184080.tif 000006
【図５】
2019184080.tif 000007